(57)【特許請求の範囲】
【請求項１】
操作部が着脱可能に構成された車載用電子機器であって、
所定方向にスライド可能に設置されたレバーと、
前記レバーのスライドに伴って、前記レバーと同一方向にスライドする係合突起と、
前記レバーを一定方向に付勢する弾性部材と、
前記係合突起と係合する少なくとも第１から第３の保持部を備える係合溝が刻設された操作部と、を備え、
前記係合突起が前記操作部に刻設された係合溝の第１の保持部と係合した状態で操作部が車載用電子機器に装着され、
前記弾性部材が付勢する方向と逆方向への前記レバーのスライドに伴い前記係合突起が前記操作部に刻設された係合溝の第２の保持部と係合し、前記弾性部材が付勢する方向への前記レバーのスライドに伴い前記係合突起が前記操作部に刻設された係合溝の第３の保持部と係合した状態で、操作部が車載用電子機器から取り外し可能となる、
ことを特徴とする車載用電子機器。
【請求項２】
前記係合突起の先端には、所定形状の切欠部が設けられ、
前記操作部に刻設された係合溝の第３の保持部には、前記係合突起に設けられた切欠部と係合する切欠部が設けられている、
ことを特徴とする請求項１に記載の車載用電子機器。
【請求項３】
操作パネルの一部を構成する操作部の着脱機構であって、
所定方向にスライド可能に設置されたリリースレバーと、
前記リリースレバーと一体に形成された係合ピンと、
前記リリースレバーを一定方向に付勢する弾性部材と、
前記係合ピンと係合する少なくとも第１から第３の保持部が設けられた係合溝が底部に刻設された操作部と、を備え、
前記係合ピンが前記操作部に刻設された係合溝の第１の保持部と係合した状態で操作部が操作パネルに装着され、
前記弾性部材が付勢する方向と逆方向への前記リリースレバーのスライドに伴い前記係合ピンが前記操作部に刻設された係合溝の第２の保持部と係合し、前記弾性部材が付勢する方向への前記リリースレバーのスライドに伴い前記係合ピンが前記操作部に刻設された係合溝の第３の保持部と係合した状態で、操作部が操作パネルから取り外し可能となる、
ことを特徴とする操作部の着脱機構。
【請求項４】
前記係合ピンの先端には、所定形状の切欠部が設けられ、
前記操作部に刻設された係合溝の第３の保持部には、前記係合ピンに設けられた切り欠きと係合する形状の切欠部が設けられている、
ことを特徴とする請求項３に記載の操作部の着脱機構。
【発明の詳細な説明】
【０００１】
【発明の属する技術分野】
本発明は、前面に配置された操作パネルから操作部が着脱可能に構成された車載用電子機器に関し、特に、操作パネルから操作部を取り外す際に、操作部の脱落を的確に防止することのできる車載用電子機器および操作部の着脱機構に関する。
【０００２】
【従来の技術】
従来より、ＣＤプレーヤ等の車載用電子機器において、盗難防止等を図るために種々の工夫がなされている。例えば、前面に配置された操作パネルやその一部（操作部等）が着脱可能に構成された車載用電子機器が挙げられる。
この車載用電子機器は、利用者が車から長時間離れる場合等に利用者により操作部等が取り外され、機器を使用不能状態とすると共に、機器が完全でない状態にすることにより盗難防止を図る。このような車載用電子機器の一例が特開平７−２８５３８８号公報にて開示されている。
【０００３】
特開平７−２８５３８８号公報に開示されている車載用電子機器は、図１３に示すように、機器本体の前面に配置された前面パネル１００から操作部２００が取り外し可能であり、また、取り付け可能に構成されている。
図１３（ａ）に示すように、前面パネル１００には、リリースレバー１０１が配置され、スライダ１０２及びスライダ１０３と共に、図中のＸ方向に移動する。また、図１３（ｂ）に示すように、前面パネル１００には、２つの固定爪１０４が設置されている。
【０００４】
一方、操作部２００には、図１３（ａ）に示すように、固定穴２０１が配置され、操作部２００が前面パネル１００に取り付けられる際に、固定爪１０４と嵌合する。また、図１３（ｂ）に示すように、操作部２００には、係合部２０２及び係合部２０３が配置され、操作部２００が前面パネル１００に取り付けられる際に、スライダ１０２，１０３と係合する。
以下、操作部２００を前面パネル１００に装着する際の動作及び、操作部２００を前面パネル１００から取り外す際の動作について、図１４及び図１５を参照して説明する。
【０００５】
操作部２００を前面パネル１００に装着する際に、利用者は、保持した操作部２００を前面パネル１００の装着箇所まで運び、固定穴２０１を固定爪１０４に嵌合させる。そして、利用者は、固定爪１０４を支点として操作部２００を押し込む。
その際、図１４（ａ）に示すように、まず、スライダ１０２の傾斜面と係合部２０２の傾斜面とが当接し、また、スライダ１０３の傾斜面と係合部２０３の傾斜面とが当接する。そして、操作部２００が前面パネル１００の装着箇所に押し込まれると、係合部２０２，２０３は、図中のＤ方向に移動する。
係合部２０２，２０３の移動に伴い、図１４（ｂ）に示すように、スライダ１０２，１０３は、係合部２０２，２０３の傾斜面に押圧されて図中のＬ方向に移動する。
【０００６】
そして、スライダ１０２，１０３は、係合部２０２，２０３のそれぞれの傾斜面を超えると、所定のバネ等により付勢され、図１４（ｃ）に示すように、図中のＲ方向に移動する。
この結果、図１４（ｄ）に示すように、スライダ１０２，１０３は、係合部２０２，２０３と係合し、操作部２００は、前面パネル１００に装着される。
【０００７】
一方、操作部２００を前面パネル１００から取り外す際に、利用者は、リリースレバー１０１を押しずらす。その際、図１５（ａ）に示すように、リリースレバー１０１の移動に伴って、スライダ１０２，１０３も図中のＬ方向に移動する。
そして、係合部２０２，２０３との係合が外れる位置までスライダ１０２，１０３が移動すると、図１５（ｂ）に示すように、操作部２００は、所定の弾発手段により付勢され、図中のＵ方向に移動する。
【０００８】
その際、係合部２０２，２０３も同様にＵ方向に移動するが、図１５（ｂ）に示すように、係合部２０２の突起部とスライダ１０３の突起部とが係合するため、操作部２００は、前面パネル１００から脱落することはない。
【０００９】
【発明が解決しようとする課題】
上述のように、特開平７−２８５３８８号公報に開示されている車載用電子機器は、操作部２００を前面パネル１００から取り外す際に、係合部２０２の突起部とスライダ１０３の突起部との係合により、操作部２００の脱落を防止するもにである。
しかしながら、この車載用電子機器は、操作部２００が前面パネル１００から脱落するのを適切に防止できない場合がある。
【００１０】
具体的に説明すると、リリースレバー１０１がバネ等により一方向に付勢されているため、操作部２００の取り外しの際に、利用者がリリースレバー１０１を押さえ続けている状態で、上述の図１５（ｂ）に示すような係合部２０２の突起部とスライダ１０３の突起部との係合が実現されている。
このため、利用者が押さえたリリースレバー１０１を離してしまうと、係合部２０２の突起部とスライダ１０３の突起部との係合が外れてしまう。そして、操作部２００が所定の弾発手段から付勢されているため、前面パネル１００から飛び出すことが予想される。
【００１１】
すなわち、利用者が操作部２００を掴む前に、押さえたリリースレバー１０１を離してしまうと、係合部２０２の突起部とスライダ１０３の突起部との係合が外れ、弾発手段から付勢された操作部２００が飛び出てしまい、前面パネル１００から操作部２００が脱落することになる。
そして、脱落により操作部２００が破損したり、故障の原因なってしまうといった問題があった。
【００１２】
本発明は、上記実状に鑑みてなされたもので、操作パネルから操作部を取り外す際に、操作部の脱落を的確に防止することのできる車載用電子機器及び操作部の着脱機構を提供することを目的とする。
【００１３】
【課題を解決するための手段】
上記目的を達成するため、本発明の第１の観点に係る車載用電子機器は、
操作部が着脱可能に構成された車載用電子機器であって、
所定方向にスライド可能に設置されたレバーと、
前記レバーのスライドに伴って、前記レバーと同一方向にスライドする係合突起と、
前記レバーを一定方向に付勢する弾性部材と、
前記係合突起と係合する少なくとも第１から第３の保持部を備える係合溝が刻設された操作部と、を備え、
前記係合突起が前記操作部に刻設された係合溝の第１の保持部と係合した状態で操作部が車載用電子機器に装着され、
前記弾性部材が付勢する方向と逆方向への前記レバーのスライドに伴い前記係合突起が前記操作部に刻設された係合溝の第２の保持部と係合し、前記弾性部材が付勢する方向への前記レバーのスライドに伴い前記係合突起が前記操作部に刻設された係合溝の第３の保持部と係合した状態で、操作部が車載用電子機器から取り外し可能となる、
ことを特徴とする。
【００１４】
この発明によれば、レバーは、所定方向にスライド可能に設置されている。係合突起は、例えば、レバーと一体に形成されており、レバーのスライドに伴って、レバーと同一方向にスライドする。弾性部材は、バネ等からなり、レバーを一定方向に付勢する。操作部は、係合突起と係合する少なくとも第１から第３の保持部を備える係合溝が刻設されている。そして、係合突起が操作部に刻設された係合溝の第１の保持部と係合した状態で操作部が車載用電子機器に装着され、一方、弾性部材が付勢する方向と逆方向へのレバーのスライドに伴い係合突起が操作部に刻設された係合溝の第２の保持部と係合し、弾性部材が付勢する方向へのレバーのスライドに伴い係合突起が操作部に刻設された係合溝の第３の保持部と係合した状態で、操作部が車載用電子機器から取り外し可能となる。この結果、操作パネル等から操作部を取り外す際に、操作部の脱落を的確に防止することができる。
【００１５】
前記係合突起の先端には、所定形状の切欠部が設けられ、
前記操作部に刻設された係合溝の第３の保持部には、前記係合突起に設けられた切欠部と係合する切欠部が設けられていてもよい。
【００１６】
上記目的を達成するため、本発明の第２の観点に係る操作部の着脱機構は、
操作パネルの一部を構成する操作部の着脱機構であって、
所定方向にスライド可能に設置されたリリースレバーと、
前記リリースレバーと一体に形成された係合ピンと、
前記リリースレバーを一定方向に付勢する弾性部材と、
前記係合ピンと係合する少なくとも第１から第３の保持部が設けられた係合溝が底部に刻設された操作部と、を備え、
前記係合ピンが前記操作部に刻設された係合溝の第１の保持部と係合した状態で操作部が操作パネルに装着され、
前記弾性部材が付勢する方向と逆方向への前記リリースレバーのスライドに伴い前記係合ピンが前記操作部に刻設された係合溝の第２の保持部と係合し、前記弾性部材が付勢する方向への前記リリースレバーのスライドに伴い前記係合ピンが前記操作部に刻設された係合溝の第３の保持部と係合した状態で、操作部が操作パネルから取り外し可能となる、
ことを特徴とする。
【００１７】
この発明によれば、リリースレバーは、所定方向にスライド可能に設置されている。係合ピンは、リリースレバーと一体に形成されている。弾性部材は、リリースレバーを一定方向に付勢する。操作部は、係合ピンと係合する少なくとも第１から第３の保持部が設けられた係合溝が底部に刻設されている。そして、係合ピンが操作部に刻設された係合溝の第１の保持部と係合した状態で操作部が操作パネルに装着され、一方、弾性部材が付勢する方向と逆方向へのリリースレバーのスライドに伴い係合ピンが操作部に刻設された係合溝の第２の保持部と係合し、弾性部材が付勢する方向へのリリースレバーのスライドに伴い係合ピンが操作部に刻設された係合溝の第３の保持部と係合した状態で、操作部が操作パネルから取り外し可能となる。この結果、操作パネル等から操作部を取り外す際に、操作部の脱落を的確に防止することができる。
【００１８】
前記係合ピンの先端には、所定形状の切欠部が設けられ、
前記操作部に刻設された係合溝の第３の保持部には、前記係合ピンに設けられた切欠部と係合する形状の切欠部が設けられていてもよい。
【００１９】
【発明の実施の形態】
本発明の実施の形態にかかる車載用電子機器について、以下図面を参照して説明する。
【００２０】
図１は、この発明の実施の形態に適用される車載用電子機器の一例を示す斜視図である。図１に示すように、車載用電子機器１は、機器本体１０と、操作パネル２０とから構成される。
【００２１】
機器本体１０内には、図示せぬ電源ユニット、記録媒体の再生機構、及びアンプ等が格納されている。
操作パネル２０の前面には、回転スイッチ２１、押しボタンスイッチ２２、表示ユニット２３、操作部３０、及びリリースレバー４１が配置されている。
回転スイッチ２１及び押しボタンスイッチ２２は、利用者に操作され、操作に応じた所定の指示信号を発生させ機器本体１０に供給する。
表示ユニット２３は、蛍光表示管等からなり、車載用電子機器１の動作状況等を示す所定のキャラクタ情報等を表示する。
【００２２】
操作部３０は、図２に示すように、操作パネル２０に対して着脱可能に構成されている。操作部３０には、図２（ａ）に示すように、上部に２つのつめ３１が設けられている。また、図２（ｂ）に示すように、操作部３０の底部には、案内係合溝３２が設けられている。なお、案内係合溝３２についての詳細は、後述する。
【００２３】
一方、操作パネル２０には、図２（ａ）に示すように、操作部３０を格納するための切欠部２０ａが設けられており、また、切欠部２０ａ内には、係合ピン４２が配置されている。
【００２４】
更に、切欠部２０ａ内には、図２（ｂ）に示すように、２つの固定穴２０ｂが設けられている。また、切欠部２０ａ内の所定位置には、図示せぬ弾発機構が備えられており、操作部３０が格納された際に、操作部３０を押し戻すように付勢する。
【００２５】
そして、操作部３０が操作パネル２０に装着される際に、操作部３０のつめ３１は、切欠部２０ａ内の固定穴２０ｂと嵌合する。また、その際、係合ピン４２は、操作部３０の案内係合溝３２と係合する。
なお、上述のリリースレバー４１及び係合ピン４２は、図３（ａ）に示すように、一体形成された部材４０の一部である。また、係合ピン４２には、図３（ｂ）に示すように、その先端に切欠部４２ａが設けられている。
【００２６】
リリースレバー４１及び係合ピン４２が一体形成された部材４０は、図４の断面図に示すように、リリースレバー４１等が表面に現れるように操作パネル２０内に埋設される。なお、部材４０は、操作パネル２０内に埋設された際に、図示せぬバネ等により一定方向に付勢されている。
【００２７】
操作部３０には、上述のように、底部に案内係合溝３２が設けられている。この案内係合溝３２は、例えば、図５（ａ）に示すような形状からなり、係合ピン４２と係合するのに十分な深さの溝である。なお、操作部３０の底部の案内係合溝３２に囲まれた箇所には、切欠部３０ａが設けられている。
この切欠部３０ａは、図５（ｂ）に示すように、係合ピン４２の切欠部４２ａと係合するための形状の切り欠きである。
【００２８】
以下、この発明の実施の形態にかかる車載用電子機器１の動作、すなわち、操作部３０を操作パネル２０に装着する際の動作及び、操作部３０を操作パネル２０から取り外す際の動作について、図面を参照して説明する。
【００２９】
まず、操作部３０を操作パネル２０に装着する際の動作について説明する。
利用者は、図６に示すように、操作部３０を操作パネル２０の切欠部２０ａまで運び、操作部３０のつめ３１を固定穴２０ｂに嵌合させる。そして、利用者は、つめ３１を支点として操作部３０を図中のＦ方向に押し込むことにより、操作部３０を操作パネル２０に装着する。
【００３０】
その際の係合ピン４２等の動きについて、図７（ａ）を参照して具体的に説明する。なお、実際には、操作部３０が図中のＤ方向に移動し、それに伴って、係合ピン４２が図中のＬ及びＲ方向に移動するのであるが、便宜的に操作部３０を固定して表し、係合ピン４２が図中のＵ方向に移動するものとして説明する。また、部材４０は、図示せぬバネ等により図中のＲ方向に向けて付勢されているものとする。
【００３１】
利用者により、つめ３１を支点として操作部３０が切欠部２０ａ内に押し込まれると、係合ピン４２は、まず、図中のＡの位置に移動し、案内係合溝３２の傾斜面３２ａと当接する。
そして、係合ピン４２は、操作部３０の移動に伴って、傾斜面３２ａに沿ってＬ方向に移動し、図中のＢの位置に達する。
【００３２】
さらに、操作部３０が切欠部２０ａ内に押し込まれると、係合ピン４２は、傾斜面３２ａを超え、そして、バネ等による付勢力によりＲ方向へ移動し、図中のＣの位置に達する。すなわち、係合ピン４２は、コ型の保持面３２ｂに保持され、案内係合溝３２と係合する。
【００３３】
この結果、図７（ｂ）に示すように、操作部３０が操作パネル２０に装着される。すなわち、部材４０に掛けられた付勢力により、係合ピン４２と案内係合溝３２とが係合し続けるため、操作部３０が操作パネル２０にロックされる。
【００３４】
次に、操作部３０を操作パネル２０から取り外す際の動作について説明する。
利用者は、図８に示すように、リリースレバー４１を図中のＬ方向にスライドさせる。リリースレバー４１が移動するのに伴い、係合ピン４２もＬ方向に移動するため、係合ピン４２と案内係合溝３２との係合が外れる。そして、図示せぬ弾発機構により付勢された操作部３０が操作パネル２０から浮き上がり、利用者は、操作パネル３０を掴んで操作パネル２０から取り外す。
【００３５】
その際の係合ピン４２等の動きについて、図９を参照して具体的に説明する。なお、実際には、リリースレバー４１の動きに伴い、係合ピン４２が図９に示すＬ方向に移動し、それに伴って、操作部３０が図中のＵ方向に移動するのであるが、便宜的に操作部３０を固定して表示し、係合ピン４２が図中のＤ方向に移動するものとして説明する。また、部材４０は、図示せぬバネ等により図中のＲ方向に付勢され、操作部３０は、図示せぬ弾発機構により図中のＵ方向に付勢されているものとする。
【００３６】
操作部３０が操作パネル２０に装着された状態で、Ｃの位置に保持されていた係合ピン４２は、リリースレバー４１のスライドに伴い、Ｃの位置から側面３２ｃに沿ってＬ方向に移動し、図中のＤの位置に達する。そして、弾発機構により付勢されている操作部３０は、操作パネル２０から浮き上がる。
【００３７】
この状態で、利用者がリリースレバー４１から手を離すと、係合ピン４２は、バネ等による付勢力によりＲ方向へ移動し、係合ピン４２の切欠部４２ａと操作部３０の切欠部３０ａとが係合する。そして、切欠部３０ａに沿ってＥの位置に移動する。そして、係合ピン４２は、傾斜面３２ｄと当接するため、操作部３０が操作パネル２０から脱落することを防止できる。
すなわち、利用者がリリースレバー４１から手を離しても、係合ピン４２が傾斜面３２ｄと当接して保持されるため、弾発機構により付勢されている操作部３０が操作パネル２０から飛び出すことがない。
【００３８】
そして、利用者が操作部３０を掴んで引き出すと、係合ピン４２の切欠部４２ａと操作部３０の切欠部３０ａとの係合が外れ、利用者は、操作部３０を操作パネル２０から取り外すことができる。
【００３９】
上記の実施の形態では、操作部３０の案内係合溝３２及び、切欠部３０ａを図５（ａ），（ｂ）に示す形状として説明したが、案内係合溝３２及び切欠部３０ａの形状は、任意である。
また、係合ピン４２の切欠部４２ａを図３（ｂ）に示す形状として説明したが、切欠部４２ａの形状は任意である。
以下、操作部３０の案内係合溝３２及び係合ピン４２の形状が異なるこの発明の他の実施の形態について図１０及び図１１を参照して説明する。
【００４０】
図１０（ａ）に示すように、係合ピン４２には、先端に形状の異なる切欠部４２ｂが設けられている。
また、図１０（ｂ）に示すように、操作部３０には、底部に形状の異なる案内係合溝３２が設けられている。なお、操作部３０の底部の案内係合溝３２に囲まれた箇所には、切欠部３０ｂが設けられている。
この切欠部３０ｂは、図１０（ｃ）に示すように、係合ピン４２の切欠部４２ｂと係合するための形状の切り欠きである。
【００４１】
次に、他の実施の形態における操作部３０を操作パネル２０に装着する際の動作について説明する。
利用者は、同様に、操作部３０を操作パネル２０の切欠部２０ａまで運び、操作部３０のつめ３１を固定穴２０ｂに嵌合させる。そして、つめ３１を支点として操作部３０を押し込むことにより、操作部３０を操作パネル２０に装着する。
【００４２】
その際の係合ピン４２等の動きについて、図１１（ａ）を参照して具体的に説明する。
利用者により、つめ３１を支点として操作部３０が切欠部２０ａ内に押し込まれると、係合ピン４２は、まず、図中のＡの位置に移動し、案内係合溝３２の傾斜面３２ａと当接する。
そして、係合ピン４２は、操作部３０の移動に伴って、傾斜面３２ａに沿ってＬ方向に移動し、図中のＢの位置に達する。
【００４３】
さらに、操作部３０が切欠部２０ａ内に押し込まれると、係合ピン４２は、傾斜面３２ａを超え、そして、バネ等による付勢力によりＲ方向へ移動し、図中のＣの位置に達する。すなわち、係合ピン４２は、コ型の保持面３２ｂに保持され、案内係合溝３２と係合する。
【００４４】
この結果、操作部３０が操作パネル２０に装着される。すなわち、部材４０に掛けられた付勢力により、係合ピン４２と案内係合溝３２とが係合し続けるため、操作部３０が操作パネル２０にロックされる。
【００４５】
次に、他の実施の形態における操作部３０を操作パネル２０から取り外す際の動作について説明する。
利用者は、同様にリリースレバー４１をスライドさせる。リリースレバー４１が移動するのに伴い、係合ピン４２も移動するため、係合ピン４２と案内係合溝３２との係合が外れる。そして、図示せぬ弾発機構により付勢された操作部３０が操作パネル２０から浮き上がり、利用者は、操作パネル３０を掴んで操作パネル２０から取り外す。
【００４６】
その際の係合ピン４２等の動きについて、図１１（ｂ）〜（ｃ）を参照して具体的に説明する。
操作部３０が操作パネル２０に装着された状態で、図１１（ｂ）に示すように、Ｃの位置に保持されていた係合ピン４２は、リリースレバー４１のスライドに伴い、Ｃの位置からＤの位置に移動し、案内係合溝３２の傾斜面３２ｃと当接する。
そして、係合ピン４２は、リリースレバー４１のスライドに伴って、傾斜面３２ｃに沿ってＬ方向に移動し、図中のＥの位置に達する。この状態で、弾発機構により付勢されている操作部３０は、操作パネル２０から浮き上がる。
【００４７】
なお、Ｅの位置において、係合ピン４２は、案内係合溝３２の半円形の保持面３２ｄと係合するため、操作部３０が操作パネル２０から脱落することを防止できる。すなわち、係合ピン４２が保持面３２ｄと係合するため、弾発機構により付勢されている操作部３０が操作パネル２０から飛び出すことがない。
【００４８】
この状態で、利用者がリリースレバー４１から手を離すと、図１１（ｃ）に示すように、係合ピン４２は、バネ等による付勢力によりＲ方向へ移動し、Ｅの位置からＦの位置に移動する。この際、係合ピン４２の切欠部４２ｂと操作部３０の切欠部３０ｂとが係合するため、操作部３０が操作パネル２０から脱落することを防止できる。
すなわち、利用者がリリースレバー４１から手を離しても、係合ピン４２が案内係合溝３２に保持されるため、弾発機構により付勢されている操作部３０が操作パネル２０から飛び出すことがない。
【００４９】
そして、利用者が操作部３０を掴んで引き出すと、図１１（ｄ）に示すように、係合ピン４２は、Ｇの位置に移動する。この状態で、係合ピン４２の切欠部４２ｂと操作部３０の切欠部３０ｂとの係合が外れ、利用者は、操作部３０を操作パネル２０から取り外すことができる。
【００５０】
上記の実施の形態では、操作部３０の取り外しの際に、リリースレバー４１から手が離れても、切欠部４２ａ，３０ａ（切欠部４２ｂ，３０ｂ）が係合することにより、操作部３０が操作パネル２０から脱落することを防止したが、係合ピン４２が操作部３０の所定の保持部（リブ等）と係合することにより、操作部３０の脱落を防止してもよい。
例えば、操作部３０には、上述の底部に設けられた切欠部３０ａ等の代わりに、図１２に示すような保持部３０ｂが設けられている。そして、操作部３０を操作パネル２０から取り外す際に、利用者によりリリースレバー４１がスライドされ、それに伴って、係合ピン４２は、同様にＥの位置に達する。
【００５１】
この状態で、利用者がリリースレバー４１から手を離すと、図１２に示すように、係合ピン４２は、バネ等による付勢力によりＲ方向へ移動し、Ｅの位置からＦの位置に移動する。この際、係合ピン４２と操作部３０の保持部３０ｂとが係合するため、操作部３０が操作パネル２０から脱落することを防止できる。
すなわち、この場合も、利用者がリリースレバー４１から手を離しても、係合ピン４２が案内係合溝３２に保持されるため、弾発機構により付勢されている操作部３０が操作パネル２０から飛び出すことがない。なお、この場合、係合ピン４２に切欠部４２ａ，４２ｂが不要となる。
【００５２】
上記の実施の形態では、リリースレバー４１と係合ピン４２とが一体形成されていたが、リリースレバー４１及び係合ピン４２は別々に形成され、リリースレバー４１及び係合ピン４２が所定の連動機構を介して固定されていてもよい。この場合、連動機構により一方の動きが他方に伝わるため、リリースレバー４１及び係合ピン４２が一体となって移動することができる。
【００５３】
上記の実施の形態では、車載用電子機器を一例として説明したが、本発明は、種々の電子機器に適用可能である。例えば、電話機器、オーディオ機器、インテリア機器、そして、玩具等にも適宜適用可能である。
【００５４】
【発明の効果】
以上説明したように、本発明によれば、操作パネルから操作部を取り外す際に、操作部の脱落を的確に防止することができる。
【図面の簡単な説明】
【図１】本発明の実施の形態に係る車載用電子機器の一例を示す斜視図である。
【図２】操作パネル及び操作部の構造を説明するための斜視図であり、（ａ）が上方から見た斜視図であり、（ｂ）が下方から見た斜視図である。
【図３】（ａ）がリリースレバー及び係合ピンが一体に形成された部材の一例を示す斜視図であり、（ｂ）が係合ピンの先端の形状を示す斜視図である。
【図４】図３（ａ）に示す部材が操作パネルに格納された状態を示す断面図である。
【図５】（ａ）が操作部の底部に設けられた案内係合溝の形状を示す模式図であり、（ｂ）が操作部の底部に設けられた切欠部等を説明するための斜視図である。
【図６】操作パネルに操作部が装着される様子を説明するための断面図である。
【図７】（ａ）が操作パネルに操作部が装着される際の係合ピン等の動きを説明するための模式図であり、（ｂ）が操作パネルに操作部が装着される際の様子を説明するための斜視図である。
【図８】操作パネルから操作部を取り外す際のリリースレバーの動きを説明するための斜視図である。
【図９】操作パネルから操作部が取り外される際の係合ピン等の動きを説明するための模式図である。
【図１０】本発明の他の実施の形態にかかる係合ピンの先端及び、操作部の底部の形状を示す模式図であり、（ａ）が係合ピンの切欠部の形状を示す模式図であり、（ｂ）が案内係合溝の形状を示す模式図であり、（ｃ）が係合ピンの先端と、操作部の底部が係合する様子を説明するための斜視図である。
【図１１】（ａ）が操作パネルに操作部が装着される際の係合ピン等の動きを説明するための模式図であり、（ｂ），（ｃ），（ｄ）が操作パネルから操作部が取り外される際の係合ピン等の動きを説明するための模式図である。
【図１２】本発明の他の実施の形態にかかる操作部の底面の形状を示す模式図である。
【図１３】（ａ），（ｂ）共に従来の車載用電子機器の外観を示す斜視図である。
【図１４】前面パネルに操作部が装着される際のスライダ等の動きを（ａ），（ｂ），（ｃ），（ｄ）の順で説明するための模式図である。
【図１５】前面パネルから操作部が取り外される際のスライダ等の動きを（ａ），（ｂ）の順で説明するための模式図である。
【符号の説明】
１    車載用電子機器
１０  機器本体
２０  操作パネル
３０  操作部
３１  つめ
３２  案内係合溝
４０  部材
４１  リリースレバー
４２  係合ピン
【図１】
0003614343.tif 000002
【図２】
0003614343.tif 000003
【図３】
0003614343.tif 000004
【図４】
0003614343.tif 000005
【図５】
0003614343.tif 000006
【図６】
0003614343.tif 000007
【図７】
0003614343.tif 000008
【図８】
0003614343.tif 000009
【図９】
0003614343.tif 000010
【図１０】
0003614343.tif 000011
【図１１】
0003614343.tif 000012
【図１２】
0003614343.tif 000013
【図１３】
0003614343.tif 000014
【図１４】
0003614343.tif 000015
【図１５】
0003614343.tif 000016